(57)【要約】【課題】たとえば遊技機の筐体の一部に不正に開けた穴から筐体内部の主要部品等の不正な差し替等が行われるような不正行為を確実に阻止することができ、併せて遊技機がたとえば廃棄されるときにその不正行為を確実に阻止することができる装置の再利用（リサイクル）を行うこと。【解決手段】前扉によって開口が閉塞される筐体のたとえば背板２ｆの内側に少なくとも金属棒７０２，７０３を密に並設することで、たとえば筐体の背板２ｆに穴を開けて筐体内部のたとえば主制御基板に搭載されている検査済みのＲＯＭのような主要部品等の不正な差し替えが行われたり、あるいは不正な制御基板が収容された基板ケースが現在使用されている基板ケースと差し替えられるなどの不正行為が行われたりしようとしても、密に並設されている金属棒７０２，７０３によってその不正行為を可能とする穴開けが阻止されるようにした。【選択図】図６
2008246063.tif 000002
【特許請求の範囲】
【請求項１】
前扉によって開口が閉塞される遊技機の筐体に対する不正行為を阻止する不正穴開阻止装置であって、
前記筐体の内側に少なくとも金属棒を密に並設してなる
ことを特徴とする不正穴開阻止装置。
【請求項２】
前記筐体の底板、側板、天板、背板のいずれかに前記金属棒を収容保持する保持溝が複数並設され、
これらの保持溝に前記金属棒が着脱可能に収容保持されている
ことを特徴とする請求項１に記載の不正穴開阻止装置。
【請求項３】
前記金属棒は、少なくとも２本で構成され、
これら２本の金属棒が回動自在なヒンジによって連結され、
一方の金属棒が板体によって前記筐体の内側に覆われるとともに、抜き差し自在になるよう取り付けられ、
他方の金属棒の端部が前記筐体の内側に着脱可能に取り付けられる
ことを特徴とする請求項１又は２に記載の不正穴開阻止装置。
【請求項４】
請求項１〜３のいずれかに記載の不正穴開阻止装置を搭載していることを特徴とする遊技機。
【発明の詳細な説明】
【技術分野】
【０００１】
本発明は、たとえば遊技機の筐体の一部に不正に開けた穴から筐体内部の主要部品等の不正な差し替等が行われるような不正行為を阻止する不正穴開阻止装置及び遊技機に関する。
【背景技術】
【０００２】
遊技機の一種として回胴式遊技機である、たとえばスロットマシンがある。スロットマシンは、複数の図柄が付された回転体としての複数のリールを備え、遊技者がメダルを投入してスタートレバーを操作することで各リールが回転を開始する。各リールが回転を開始した後、ストップボタンを操作したり所定時間が経過したりすることで、各リールが順次停止する。
【０００３】
また、スロットマシンでは、メダル（又はコインとも呼ばれている）の投入とスタートレバーの操作を条件として抽選を行い、その抽選結果が当選であり、かつ予め設定された有効ライン上に遊技者が当選した図柄を停止させることを条件として所定枚数のメダルが払い出されたり、遊技者に有利な特別遊技状態（ボーナスゲーム等）が発生する。
【０００４】
また、このようなスロットマシンは、前面側に開口を有する箱形の筐体と、この筐体の前面側に開閉自在に取り付けられた前扉とを備え、筐体の内部に遊技構成装置が配設されて、前扉が開口を覆う状態で遊技に供されるようになっている。また、その筐体の内部には、スロットマシンの各部に電力を供給するための電源装置が設けられており、この電源装置から供給される電力によりスロットマシンが作動するようになっている。
【０００５】
ところで、このようなスロットマシンでは、ゲームの演出に係る制御を主に行うサブ制御基板と、リールの回転駆動を制御する回胴装置基板と、ベットボタン、スタートレバー及びストップボタンによる操作信号を転送する中央表示基板と、各駆動部等への電力供給を制御する電源装置基板とを備え、これらの基板は主制御基板により集中制御されている。
【０００６】
また、主制御基板には、システムプログラムやスロットマシンゲーム用のプログラム等が書き込まれているＲＯＭ（Ｒｅａｄ  Ｏｎｌｙ  Ｍｅｍｏｒｙ）、このＲＯＭから所定のプログラムを読み出して所定の制御を行うＣＰＵ（Ｃｅｎｔｒａｌ  Ｐｒｏｃｅｓｓｉｎｇ  Ｕｎｉｔ）、このＣＰＵによる演算結果等を保持するＲＡＭ（Ｒａｎｄｏｍ  Ａｃｃｅｓｓ  Ｍｅｍｏｒｙ）等の電子素子等が搭載されており、ゲームの進行に合わせそのＲＯＭから読み出したプログラムに基づき、上述した各種基板への制御が行われるようになっている。
【０００７】
ところで、たとえば主制御基板に搭載されている上述した特にＲＯＭは、定期的な検査等のために基板上のコネクタに着脱自在となるように装着されている。また、上述した各電子素子等は、筐体の外部から内部に挿入されるセルや針金等の不正行為治具によって不正に弄られないように、基板ケースを構成する本体ケースと上蓋ケースとの間に挟持されたユニット構成とされている。
【０００８】
また、その上蓋ケースは、ホールスタッフ等により主制御基板上の各電子素子等の状態が確認し易いように透明なプラスチックで形成されている。さらに、その上蓋ケースは、法規制により検査済みシールが貼着されて封印されているとともに、本体ケースと上蓋ケースとがカシメ状態で結合する接続部材を介してカシメ結合され、上蓋ケースが開けられないようになっている。
【０００９】
また、主制御基板は、通常、筐体内部を正面から見たとき、所定数の図柄が付された３個のリールを有する回胴装置の上方に位置するように筐体内面に取り付けられている。これは、スロットマシンの構成上、筐体内部のほぼ中央寄りにその回胴装置が配置され、回胴装置の下方にメダルの払い出し等を行うホッパ装置や電源を供給する電源装置等が配置されるようになっており、主制御基板の状態を前扉を開けて確認し易い位置が回胴装置の上方となるためである。
【００１０】
また、主制御基板を、回胴装置の上方に位置するように筐体内面に取り付けることで、前扉側から見てその位置が最も遠くなり、しかも主制御基板が本体ケースと上蓋ケースとの間に挟持されたユニット構成とされていることで、筐体の外部から内部に挿入されるセルや針金等の不正行為治具によって主制御基板上の各種電子素子等が不正に弄られないような対策もとることができるようになっている。
【００１１】
ところが、主制御基板に対して上述のようにセルや針金等の不正行為治具による不正行為に対する様々な対策が講じられているにも関わらず、たとえば遊戯中等に前扉が不正に開けられ、主制御基板上のＲＯＭがプログラムの内容が書き換えられた、いわゆる裏ＲＯＭ又は不正ＲＯＭと呼ばれるものに不正に差し替えられてしまうことがある。さらに、不正な制御基板が収容された基板ケースが現在使用されている基板ケースと差し替えられてしまうこともある。
【００１２】
これは、筐体内部における主制御基板が上述した上蓋ケースによって覆われているが、前扉が不正に開けられてしまうと、その主制御基板が回胴装置の上方、すなわち手で触ることができる位置に取り付けられているからである。特に、上蓋ケースは、検査済みシールによって封印され、さらに上述したカシメ結合により上蓋ケースが開けられないようになっているにも関わらず、ホールスタッフ等により主制御基板上の各電子素子等の状態が確認し易いように透明なプラスチックで形成されているため、半田ごて等の熱によって穴が開けられやすいためでもある。
【００１３】
なお、上蓋ケースに開けられた穴から検査済みのＲＯＭが裏ＲＯＭ又は不正ＲＯＭと呼ばれるものに差し替えられた場合、その開けられた穴を確認することで、裏ＲＯＭ又は不正ＲＯＭと呼ばれるものに差し替えられたことを確認できるが、その穴は不正に作成された偽造シールで覆うような偽装が施されていることがある。このような偽造シールで覆うような偽装が施されていると、スロットマシンの内部構成に詳しいホールスタッフ等が確認すればその偽装にすぐに気づくことができるが、スロットマシンの内部構成に詳しくないホールスタッフ等が確認した場合、その偽装に気づかずにいることがある。
【００１４】
このようにして、検査済みのＲＯＭが裏ＲＯＭ又は不正ＲＯＭと呼ばれるものに不正に差し替えられてしまうと、たとえば上述した特別遊技状態（ボーナスゲーム等）が半ば強制的に発生させられてしまい、不正にコインの払い出しが行われてしまうということを招いてしまう。
【００１５】
このような不正行為の管理を行うようにしたものとして、特許文献１では、パーソナルコンピュータとパチンコ遊技機との間にＩＤ読取装置を接続し、パーソナルコンピュータからの識別情報要求指令に応じて、ＩＤ読取装置からパチンコ遊技機に識別情報要求信号を出力し、パチンコ遊技機の制御マイクロコンピュータからの応答である固有の識別情報をＩＤ読取装置からパーソナルコンピュータに出力し、パーソナルコンピュータ側でその固有の識別情報からパチンコ遊技機の制御マイクロコンピュータが真正なものであるか否かを管理するようにした遊技機管理装置を提案している。
【００１６】
【特許文献１】特開２００２−３４６１８６号公報
【発明の開示】
【発明が解決しようとする課題】
【００１７】
このように、上述した特許文献１では、パチンコ遊技機の制御マイクロコンピュータからの応答である固有の識別情報をＩＤ読取装置からパーソナルコンピュータに出力し、パーソナルコンピュータ側でその固有の識別情報からパチンコ遊技機の制御マイクロコンピュータが真正なものであるか否かを管理することで、遊技機においての正規の制御マイクロコンピュータとは異なる制御マイクロコンピュータに差し替えられてしまったことを容易に発見できるようになっている。
【００１８】
ところで、このような固有の識別情報を管理する方法では、パチンコ遊技機の制御マイクロコンピュータから読み取った固有の識別情報からその制御マイクロコンピュータが真正なものであるか否かを管理するようにしている。そのため、たとえばその制御マイクロコンピュータが不正な裏物と呼ばれるものに差し替えられた場合、その不正な裏物と呼ばれるものに正規の制御マイクロコンピュータに記憶されていた固有の識別情報と同じ情報が不正に記憶されていると、その裏物と呼ばれるものから読み取った固有の識別情報からでは制御マイクロコンピュータが真正なものであるか否かを判断することができなくなってしまう。
【００１９】
ちなみに、このような不正行為は、上述したように、検査済みのＲＯＭが裏ＲＯＭ又は不正ＲＯＭと呼ばれるものに不正に差し替えられたり、あるいは不正な制御基板が収容された基板ケースが現在使用されている基板ケースと不正に差し替えられたりすることで行われるものである。
【００２０】
また、このような不正行為は、遊戯中等に前扉が不正に開けられて行われる場合が多く見受けられたが、近年では、前扉に不正行為検知センサ等を取り付け、前扉を開けての不正行為がし難くなるような対策が施されている。一方、ホールの定休日や深夜等において、筐体の一部に穴を開け、その穴から上述した検査済みのＲＯＭが裏ＲＯＭ又は不正ＲＯＭと呼ばれるものに不正に差し替えられたり、あるいは不正な制御基板が収容された基板ケースが現在使用している基板ケースと不正に差し替えられたりすることがある。
【００２１】
このように筐体の一部に穴が開けられた場合、その穴が筐体の側面であればその穴の痕跡から、少なくとも一日に一回は行われるたとえば主制御基板上の各電子素子等の状態の確認作業に併せて、検査済みのＲＯＭが裏ＲＯＭ又は不正ＲＯＭと呼ばれるものに不正に差し替えられていないかどうか、あるいは不正な制御基板が収容された基板ケースが現在使用されている基板ケースと不正に差し替えられていないかどうかを容易に判断することができる。
【００２２】
ところが、筐体の側面に開けられた穴が精巧にカムフラージュされてしまうと、開けられた穴の痕跡を確認することは困難となってしまう。特に、筐体の背面側に穴が開けられた場合、その穴が筐体内部のたとえば基板ケースの裏側であったりすると、開けられた穴の痕跡を確認することは容易ではない。
【００２３】
このようなことから、たとえば遊技機の筐体の一部に不正に開けた穴から筐体内部の主要部品等の不正な差し替等が行われるような不正行為を確実に阻止できるような装置の開発が望まれていた。
【００２４】
また、このような不正行為を確実に阻止できるような装置が遊技機に組み込まれた場合、その遊技機がたとえば廃棄されるときにその装置を再利用（リサイクル）できるようにすることも望まれている。
【００２５】
本発明は、このような状況に鑑みてなされたものであり、たとえば遊技機の筐体の一部に不正に開けた穴から筐体内部の主要部品等の不正な差し替等が行われるような不正行為を確実に阻止することができ、併せて遊技機がたとえば廃棄されるときにその不正行為を確実に阻止することができる装置の再利用（リサイクル）を行うことができる不正穴開阻止装置及び遊技機を提供することを目的とする。
【課題を解決するための手段】
【００２６】
本発明の不正穴開阻止装置は、前扉によって開口が閉塞される遊技機の筐体に対する不正行為を阻止する不正穴開阻止装置であって、前記筐体の内側に少なくとも金属棒を密に並設してなることを特徴とする。
【００２７】
また、前記筐体の底板、側板、天板、背板のいずれかに前記金属棒を収容保持する保持溝が複数並設され、これらの保持溝に前記金属棒が着脱可能に収容保持されているようにしてもよい。
【００２８】
また、前記金属棒は、少なくとも２本で構成され、これら２本の金属棒が回動自在なヒンジによって連結され、一方の金属棒が板体によって前記筐体の内側に覆われるとともに、抜き差し自在になるよう取り付けられ、他方の金属棒の端部が前記筐体の内側に着脱可能に取り付けられるようにしてもよい。
【００２９】
本発明の不正穴開阻止装置及び遊技機では、前扉によって開口が閉塞される筐体の内側に少なくとも金属棒を密に並設することで、たとえば筐体に穴を開けて筐体内部の主要部品等の不正な差し替え等の不正行為が行われようとしても、密に並設されている金属棒によってその不正行為を可能とする穴開けが阻止される。
【発明の効果】
【００３０】
本発明の不正穴開阻止装置及び遊技機によれば、たとえば筐体に穴を開けて筐体内部の主要部品等の不正な差し替え等の不正行為が行われようとしても、密に並設されている金属棒によってその不正行為を可能とする穴開けが阻止されるようにしたので、たとえば遊技機の筐体の一部に不正に開けた穴から筐体内部の主要部品等の不正な差し替等が行われるような不正行為を確実に阻止することができ、併せて遊技機がたとえば廃棄されるときにその不正行為を確実に阻止することができる装置の再利用（リサイクル）を行うことができる
【発明を実施するための最良の形態】
【００３１】
本実施形態では、前扉３によって開口が閉塞される筐体２のたとえば背板２ｆの内側に少なくとも金属棒７０２，７０３を密に並設することで、たとえば筐体２の背板２ｆに穴を開けて筐体２内部のたとえば主制御基板３００に搭載されている検査済みのＲＯＭのような主要部品等の不正な差し替えが行われたり、あるいは不正な制御基板が収容された基板ケースが現在使用されている基板ケースと差し替えられるなどの不正行為が行われたりしようとしても、密に並設されている金属棒７０２，７０３によってその不正行為を可能とする穴開けが阻止されるようにした。
【００３２】
このように、密に並設されている金属棒７０２，７０３によってその不正行為を可能とする穴開けが阻止されるようにすることで、たとえば遊技機の筐体の底板２ｂ、側板２ｃ，２ｄ、天板２ｅ、背板２ｆのいずれかの一部に不正に開けた穴から筐体２内部のたとえば主制御基板３００に搭載されている検査済みのＲＯＭのような主要部品等の不正な差し替等が行われるような不正行為が確実に阻止される。また、遊技機がたとえば廃棄されるときにその不正行為を確実に阻止することができる金属棒７０２，７０３の再利用（リサイクル）も可能となる。
【実施例】
【００３３】
以下、本発明の実施例の詳細について説明する。図１は本発明の不正穴開阻止装置が適用される回胴式遊技装置の一例を示す正面図、図２は図１の回胴式遊技装置の内部構成を示す正面図、図３は図１の回胴式遊技装置の内部構成を示す斜視図、図４は図１の回胴式遊技装置の内部構成を示す正面図である。
【００３４】
これらの図に示すように、回胴式遊技装置であるスロットマシン１は、遊技者側に面する、いわゆるフロントマスクを構成する前扉３が略矩形状の箱体である筐体２の開口側に対し、蝶番機構２ａにより左側端部側を回動支点として開閉可能に取り付けられている。前扉３は、上部パネル部３Ａ、中部パネル部３Ｂ、操作卓部３Ｃ及び下部パネル部３Ｄに概ね分けられ、これらは化粧板として視覚効果を高めてデザインされた硬質プラスチックにより一体的に形成されている。
【００３５】
筐体２は、図３及び図４に示すように、底板２ｂ、側板２ｃ，２ｄ、天板２ｅ、背板２ｆによって構成されている。筐体２の内部には、スロットマシン１全体の動作を統括制御する主制御基板３００と、３個の円筒状のメインリール５２１，５２２，５２３を備える回胴装置５２０と、スロットマシン１の各部に電力を供給するための電源装置５３０と、ゲームの入賞に応じてメダルの払い出しを行うホッパ装置６００と、ホッパ装置６００から溢れたメダルを収納する補助貯留部５４０等とが設けられている。
【００３６】
ここで、回胴装置５２０は、主制御基板３００からの回転駆動開始制御信号や回転駆動停止制御信号等を受ける後述の回胴装置基板４２０によって各メインリール５２１，５２２，５２３の回転や回転停止が制御されるようになっている。
【００３７】
また、回胴装置５２０は、筐体２の内部に取り付けられている台座５２４に対し引き出し及び押し戻し自在に載置されている。また、回胴装置５２０は、メインリール５２１，５２２，５２３を回転可能に取り付ける板状のユニット板５２４ａ，５２４ｂ，５２４ｃと、これらのユニット板５２４ａ，５２４ｂ，５２４ｃをボルト５２５ａを介して取り付ける基板５２５と、これらのユニット板５２４ａ，５２４ｂ，５２４ｃをボルト５２６ａを介して取り付ける天板５２６とを備えて構成されている。なお、これらのユニット板２４ａ，５２４ｂ，５２４ｃ、基板５２５及び天板５２６はいずれも硬質プラスチックで一体形成されている。
ここで、主制御基板３００及び回胴装置５２０の背面側、すなわち、筐体２の背板２ｆには不正穴開阻止装置７００が設けられているが、その詳細については後述する。
【００３８】
また、筐体２の内部に設けられている電源装置５３０のたとえば側面には、いわゆる配電盤に相当する後述の電源装置基板４３０が設けられている。この電源装置基板４３０には、電源装置５３０で発生される各種電源電圧をホッパ装置６００等の各所に配電する配電回路が形成されており、かかる配電回路からスロットマシン１の動作に必要なシステム電源を供給する。また、後述の電源装置基板４３０は、主制御基板３００からのメダルの払い出しを行わせるべき旨の指令を受けると、ホッパ装置６００を制御してメダルの払い出しを行わせる。
【００３９】
また、前扉３は、筐体２の開口を閉塞する位置で、操作卓部３Ｃに設けられている鍵穴４を有する図示しない施錠装置によりロックされ、ホールスタッフ等が主制御基板３００上の各電子素子等の状態の確認を含むメンテナンス作業や出玉管理作業等を行う場合、前扉３の鍵穴４に専用鍵を差し込んでそのロックを解除すると、前扉３が開放されるようになっている。
【００４０】
前扉３の上部パネル部３Ａには、遊技に伴った演出を行う演出表示部１００が取り付けられている。演出表示部１００には、たとえばゲームの進行に応じた動画像等を表示する表示部１０１と、この表示部１０１を覆う表示パネル１０２とが設けられている。この表示パネル１０２は、中央部に表示部１０１を視認可能とする略長方形の透明窓１０３を有し、その透明窓１０３の周囲が映像を表示可能な液晶パネルで構成されている。また、演出表示部１００には、意匠的に遊技者の視覚に訴える形状及び色彩、模様、絵柄等を施してデザイン設計された複数の演出用ランプ１０４〜１０８と、演出用の効果音を発するスピーカ１０９ａ，１１０ａを有する放音部１０９，１１０が設けられている。
【００４１】
そして、前扉３の上部パネル部３Ａの背面に設けられているサブ制御基板４００に、主制御基板３００から演出開始を示唆する制御信号が供給されると、そのサブ制御基板４００により表示部１０１による動画像等の表示と、演出用ランプ１０４〜１０８による点滅又は点灯によっての演出と、放音部１０９，１１０からの効果音による演出とが行われるようになっている。
【００４２】
前扉３の中部パネル部３Ｂには、回胴装置５２０の各メインリール５２１，５２２，５２３の確認を行える確認窓２０１を有するパネル２０２を備えたメイン演出部２００が設けられている。また、中部パネル部３Ｂの両側には、高輝度発光ダイオードを内蔵したサイドランプ５ａ，５ｂが配置されている。これらのサイドランプ５ａ，５ｂは、リーチや大当たり等の際に点灯又は点滅して遊技者の視覚に訴える演出を行うものである。
【００４３】
前扉３の操作卓部３Ｃには、ゲームに使用するメダルを投入するための投入口を有するメダル投入部６、メダルをベットするベットボタン７、ゲームの操作を指示するスタートレバー８、演出表示部１００のメインリール５２１，５２２，５２３をストップさせるストップボタン９ａ，９ｂ，９ｃ等が設けられている。
【００４４】
ここで、現状のスロットマシン１では、１ゲームに必要とされるメダルがたとえば３枚となっているため、メダル投入部６から３枚を超えてメダルが連続投入されると、最大５０枚までクレジットされるようになっている。
【００４５】
ベットボタン７は、スロットマシン１のゲームに賭けるメダルの枚数を提示するための押圧式の操作スイッチであり、ＭＡＸベットボタンと呼ばれている。すなわち、メダルがクレジットされているとき、ゲーム開始時にベットボタン７を操作すると、そのクレジットされているメダルのうち３枚がベットされるようになっている。
【００４６】
スタートレバー８は、演出表示部１００の後述のメインリール５２１，５２２，５２３を一斉に回転させる指示をするためのレバースイッチであり、先端に設けられている球形の操作ノブを上下左右のいずれかの方向に傾倒操作するとオン作動し、その操作ノブから手が離されるとスプリングの付勢力によって自動的に元の位置に戻ってオフするように構成されている。
【００４７】
ストップボタン９ａ，９ｂ，９ｃは、回胴装置５２０の各メインリール５２１，５２２，５２３の回転停止を個別に指示するための押圧式スイッチであり、各メインリール５２１，５２２，５２３の配列に対応してそれぞれ並設されている。
【００４８】
また、前扉３の操作卓部３Ｃの背面には、操作卓部３Ｃのベットボタン７、スタートレバー８、ストップボタン９ａ，９ｂ，９ｃ等の各種メインスイッチが電気的に接続された中央表示制御基板４１０が設けられており、これらのスイッチの出力信号が中央表示制御基板４１０から主制御基板３００に転送されるようになっている。
【００４９】
前扉３の下部パネル部３Ｄには、スロットマシン１のモデルタイプ等を遊技者へ認識させるため、たとえば登場キャラクターの絵等を表示するパネル１０が設けられている。
下部パネル部３Ｄの下方には、入賞時等においてメダルを排出するメダル排出口１２を有する受皿ユニット１１と、後述のスピーカ１３ａ，１４ａを内蔵しゲームの進行に応じて演出効果音を発生させる演出効果音部１３，１４と、灰皿１５等とがそれぞれ配設されている。
【００５０】
また、前扉３の下部パネル部３Ｄの背面には、メダル投入部６より投入される投入物を正規のメダルか異物かを判別して振り分けるセレクト機構５００と、このセレクト機構５００で振り分けられたメダルを筐体２内に設けられているホッパ装置６００へ案内するガイド部材５０１と、セレクト機構５００で振り分けられた異物をメダル排出口１２へ案内するガイド部材５０２と、後述のホッパ装置６００のメダル排出口６５４から排出されたメダルを受皿ユニット１１のメダル排出口１２側にガイドするガイド部材５０３とが設けられている。また、下部パネル部３Ｄの下方の背面には、上述したスピーカ１３ａ，１４ａが設けられている。
【００５１】
図５及び図６は、不正穴開阻止装置７００の詳細について説明するための図である。ここで、図５は図３の筐体２の縦断面図であり、図６は図５不正穴開阻止装置７００を示す正面図である。
【００５２】
これらの図に示すように、筐体２は上述したように、底板２ｂ、側板２ｃ，２ｄ、天板２ｅ、背板２ｆとで構成されている。また、不正穴開阻止装置７００は、筐体２の背板２ｆの内側に設けられている。
【００５３】
不正穴開阻止装置７００は、金属棒７０２，７０３と、金属棒７０２部分を覆う板体７０１とを有している。なお、この板体７０１は、金属棒７０２側を覆うように背板２ｆに取り付けられる。また、その板体７０１には、上述した主制御基板３００が取り付けられている。
【００５４】
また、背板２ｆの内側には、縦方向に複数並設された保持溝７０２ａが設けられており、これらの保持溝７０２ａに、たとえば２本の金属棒７０２，７０３が収容保持されるようになっている。
【００５５】
このように、背板２ｆの内側に保持溝７０２ａを複数並設することで、これらの保持溝７０２ａに金属棒７０２，７０３を着脱自在に収容保持させることができることから、筐体２の内面への金属棒７０２，７０３による出っ張りがなくなることから、筐体２に配設されている各種構成部等の配置スペースを狭めるようなこともなくなる。
【００５６】
なお、これらの金属棒７０２，７０３は、背板２ｆの内側に縦方向に複数並設された場合としているが、これに限らず、背板２ｆの内側に横方向あるいは斜め方向に複数並設されるようにしてもよい。また、これらの金属棒７０２，７０３は、背板２ｆに限らず、底板２ｂ、側板２ｃ，２ｄ、天板２ｅのいずれかに同様にして設けてもよい。また、金属棒７０２，７０３は２本に限らず、３本以上としてもよい。
【００５７】
ここで、金属棒７０２の下端部７０２ｂと、金属棒７０３の上端部７０３ａとは、中心部７０４ｂが折り曲げ自在とされ、ねじ７０４ａによって螺着されるヒンジ７０４を介して連結されている。金属棒７０３の下端部７０３ｂは、ねじ７０５ａが装着されるブラケット７０５を介して背板２ｆに取り付けられるようになっている。
【００５８】
そして、金属棒７０２側が板体７０１によって覆われるように保持されるとともに、金属棒７０３の下端部７０３ｂがねじ７０５ａが装着されるブラケット７０５を介して背板２ｆに取り付けられることで、金属棒７０２，７０３が背板２ｆに固定されることになる。
【００５９】
なお、金属棒７０２，７０３の並設間隔は、たとえば主制御基板３００に搭載されている図示しない検査済みのＲＯＭが裏ＲＯＭ又は不正ＲＯＭと呼ばれるものに不正に差し替えられたり、あるいは不正な制御基板が収容された基板ケースが現在使用している基板ケースと不正に差し替えられたりすることができる程度の穴が開けられないように狭めることが好ましい。
【００６０】
このようにすることで、たとえば背板２ｆに不正な穴が開けられても、金属棒７０２，７０３の並設間隔が狭められていることで、上述した不正行為を達成できる程度の不正な穴開けが金属棒７０２，７０３によって阻止されることになる。
【００６１】
また、金属棒７０２，７０３は、角柱状であってもよいし、円柱状であってもよいし、三角柱であってもよいし、菱形柱あるいは台形柱であってよい。また、上述した板体７０１は、透明部材であってもよいし、不透明部材であってもよいが、透明部材にした場合には、前扉３を開けた状態で背板２ｆの状態の確認を容易に行える。
【００６２】
また、ここでは、不正穴開阻止装置７００を筐体２の背板２ｆの内側に配設した場合としているが、これに限らず、その不正穴開阻止装置７００を筐体２の底板２ｂ、側板２ｃ，２ｄ、天板２ｅのいずれかに配設してもよいことは勿論である。
【００６３】
このような不正穴開阻止装置７００の金属棒７０２，７０３は、次のようにしてたとえば筐体２の背板２ｆの内側に取り付けられる。
【００６４】
まず、上述した主制御基板３００を取り付けた板体７０１を背板２ｆの内側に取り付けておく。次に、金属棒７０２の下端部７０２ｂと、金属棒７０３の上端部７０３ａとにヒンジ７０４を装着し、ねじ７０４ａによって両者を連結する。次に、ヒンジ７０４の中心部７０４ｂを中心として金属棒７０３を手前側に折り曲げる。この状態で、金属棒７０２側を背板２ｆの内側に形成されている保持溝７０２ａに嵌め込みながら、その金属棒７０２側を板体７０１の内側に滑り込ませる。
【００６５】
次に、ヒンジ７０４の中心部７０４ｂを中心として折り曲げた金属棒７０３を垂直方向に戻した後、金属棒７０３の下端部７０３ｂにブラケット７０５を装着し、ねじ７０５ａを螺着することで金属棒７０３の下端部７０３ｂを背板２ｆに固定する。
【００６６】
これにより、金属棒７０２側が板体７０１によって覆われるように保持されるとともに、金属棒７０３の下端部７０３ｂがねじ７０５ａが装着されるブラケット７０５を介して背板２ｆに取り付けられることで、金属棒７０２，７０３が背板２ｆに固定されることになる。
【００６７】
このような手順で、背板２ｆの内側に形成されている他の保持溝７０２ａにそれぞれの金属棒７０２，７０３を取り付けることにより、不正穴開阻止装置７００の取り付けが完了する。
【００６８】
次に、このようにして取り付けられた不正穴開阻止装置７００の金属棒７０２，７０３は、スロットマシン１がたとえば廃棄されるとき、図７に示すようにして取り外すことができる。
【００６９】
すなわち、図７（ａ）に示すように、まずこれにより、金属棒７０２側が板体７０１によって覆われるように保持されるとともに、金属棒７０３の下端部７０３ｂを固定しているブラケット７０５のねじ７０５ａを外してそのブラケット７０５を取り外した後、金属棒７０３側をヒンジ７０４の中心部７０４ｂを中心として手前側に折り曲げる。
【００７０】
次に、図７（ｂ）に示すように、板体７０１の内側に位置している金属棒７０２側を板体７０１の内側から保持溝７０２ａに沿って下方に引き下げる。これにより、板体７０１による金属棒７０２側の保持が解かれるため、金属棒７０２，７０３を筐体２から取り外すことができる。
【００７１】
このような手順で、背板２ｆの内側に形成されている他の保持溝７０２ａに装着されているそれぞれの金属棒７０２，７０３を取り外すことにより、不正穴開阻止装置７００の取り外しが完了する。
【００７２】
なお、このようにして取り外した金属棒７０２，７０３は、折り曲げ自在なヒンジ７０４で連結された状態で筐体２から取り外すことができるため、他のスロットマシン１への装着による再利用（リサイクル）が可能となる。
【００７３】
このように、本実施例では、前扉３によって開口が閉塞される筐体２のたとえば背板２ｆの内側に少なくとも金属棒７０２，７０３を密に並設することで、たとえば筐体２の背板２ｆに穴を開けて筐体２内部のたとえば主制御基板３００に搭載されている検査済みのＲＯＭのような主要部品等の不正な差し替えが行われたり、あるいは不正な制御基板が収容された基板ケースが現在使用されている基板ケースと差し替えられるなどの不正行為が行われたりしようとしても、密に並設されている金属棒７０２，７０３によってその不正行為を可能とする穴開けが阻止されるようにした。
【００７４】
このように、密に並設されている金属棒７０２，７０３によってその不正行為を可能とする穴開けが阻止されるようにすることで、たとえば遊技機の筐体の底板２ｂ、側板２ｃ，２ｄ、天板２ｅ、背板２ｆのいずれかの一部に不正に開けた穴から筐体２内部のたとえば主制御基板３００に搭載されている検査済みのＲＯＭのような主要部品等の不正な差し替等が行われるような不正行為が確実に阻止することができる。
【００７５】
また、本実施例では、たとえば筐体２の背板２ｆに金属棒７０２，７０３を収容保持する保持溝７０２ａを複数並設しているので、これらの保持溝７０２ａに金属棒７０２，７０３を着脱自在に収容保持させることができることから、筐体２の内面への金属棒７０２，７０３による出っ張りがなくなり、筐体２に配設されている各種構成部等の配置スペースを狭めるようなこともなくなる。
【００７６】
また、本実施例では、主制御基板３００を取り付けた板体７０１を背板２ｆの内側に取り付け、金属棒７０２の下端部７０２ｂと、金属棒７０３の上端部７０３ａとに折り曲げ自在なヒンジ７０４を装着して連結し、金属棒７０３を手前側に折り曲げて、金属棒７０２側を背板２ｆの内側に形成されている保持溝７０２ａに嵌め込みながら、その金属棒７０２側を板体７０１の内側に滑り込ませるようにしているので、金属棒７０２，７０３の取り付けや取り外しを容易に行うことができる。
【００７７】
また、スロットマシン１がたとえば廃棄されるとき、金属棒７０２，７０３は折り曲げ自在なヒンジ７０４で連結された状態で筐体２から取り外すことができるため、他のスロットマシン１への装着による再利用が可能となる。
【産業上の利用可能性】
【００７８】
スロットマシンに限らず、パチンコ機、ピンボールゲーム機、アレンジボールゲーム機、じゃん球といった他の遊技機にも適用可能である。
【図面の簡単な説明】
【００７９】
【図１】本発明の不正穴開阻止装置が適用される回胴式遊技装置の一例を示す正面図である。
【図２】図１の回胴式遊技装置の内部構成を示す正面図である。
【図３】図１の回胴式遊技装置の内部構成を示す斜視図である。
【図４】図１の回胴式遊技装置の内部構成を示す正面図である。
【図５】図３の図１の筐体の内部構成を示す縦断面図である。
【図６】図５不正穴開阻止装置を示す正面図である。
【図７】図６の不正穴開阻止装置の金属棒の取り外しを説明するための図である。
【符号の説明】
【００８０】
１  スロットマシン
２  筐体
２ｂ  底板
２ｃ，２ｄ  側板
２ｅ  天板
２ｆ  背板
３  前扉
３Ａ  上部パネル部
３Ｂ  中部パネル部
３Ｃ  操作卓部
３Ｄ  下部パネル部
１１  受皿ユニット
１２  メダル排出口
１００  演出表示部
１０１  表示部
１０２  表示パネル
１０３  透明窓
１０４〜１０８  演出用ランプ
１０９，１１０  放音部
１０９ａ，１１０ａ  スピーカ
２００  メイン演出部
２０１  確認窓
２０２  パネル
３００  主制御基板
４００  サブ制御基板
４１０  中央表示制御基板
４２０  回胴装置基板
４３０  電源装置基板
５００  セレクト機構
５０１  ガイド部材
５０２  ガイド部材
５０３  ガイド部材
５２０  回胴装置
５２１，５２２，５２３  メインリール
５３０  電源装置
５４０  補助貯留部
６００  ホッパ装置
６５４  メダル排出口
７００  不正穴開阻止装置
７０１  板体
７０２，７０３  金属棒
７０２ａ  保持溝
７０４  ヒンジ
７０４ｂ  中心部
７０５  ブラケット
【図１】
2008246063.tif 000003
【図２】
2008246063.tif 000004
【図３】
2008246063.tif 000005
【図４】
2008246063.tif 000006
【図５】
2008246063.tif 000007
【図６】
2008246063.tif 000008
【図７】
2008246063.tif 000009